(57)【特許請求の範囲】
【請求項１】
表示パターンを有する複数の駐車マスを撮影した画像に基づいて、当該複数の駐車マスのそれぞれについての駐車の有無を検出する駐車検出装置であって、
前記複数の駐車マスを含む駐車検出対象エリアの画像を撮影する撮影手段と、
前記画像に所定の画像処理を施す画像処理手段と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段と、を備え、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定手段は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出装置。
【請求項２】
前記判定基準データを更新する更新手段を更に備える請求項１記載の駐車検出装置。
【請求項３】
表示パターンを有する複数の駐車マスを撮影した画像に基づいて、当該複数の駐車マスのそれぞれについての駐車の有無を検出する駐車検出方法であって、
前記複数の駐車マスを含む駐車検出対象エリアの画像を撮影する撮影手段を用いる撮影工程と、
前記画像に所定の画像処理を施す画像処理手段を用いる画像処理工程と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段を用いる判定工程と、を備え、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定工程は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出方法。
【請求項４】
前記判定基準データを更新する更新工程を更に備える請求項３記載の駐車検出方法。
【請求項５】
表示パターンを有する複数の駐車マスを撮影した画像に基づいて、当該複数の駐車マスのそれぞれについての駐車の有無を検出する駐車検出プログラムであって、
前記複数の駐車マスを含む駐車検出対象エリアの画像を撮影する撮影手段を用いる撮影機能と、
前記画像に所定の画像処理を施す画像処理手段を用いる画像処理機能と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段を用いる判定機能と、をコンピュータに実現させ、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定機能は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出プログラム。
【請求項６】
前記判定基準データを更新する更新機能を更に実現させる請求項５記載の駐車検出プログラム。
【発明の詳細な説明】
【技術分野】
【０００１】
本発明は、駐車検出装置、駐車検出方法および駐車検出プログラムに関する。さらに詳しくは、高速道路のサービスエリアなど、多数の駐車マスを持つ駐車場の各駐車マスの駐車状況を正確に検出することができる駐車検出装置、駐車検出方法および駐車検出プログラムに関する。
【背景技術】
【０００２】
従来の車両検出方法として、車両検出対象領域を俯瞰撮影した画像の各駐車マスに対応する画像領域からエッジ成分を抽出し、そのエッジ量の大小に基づいて当該駐車マスにおける駐車と空車とを判定することが知られている（例えば、特許文献１参照）。すなわち、空車状態の駐車マスと、複雑な形状を有する車両が駐車した状態の駐車マスと、では、検出されるエッジ量に差が生じることに基づいて駐車状況を検出するものである。
【先行技術文献】
【特許文献】
【０００３】
【特許文献１】特開平１１−６６４９０号公報
【０００４】
しかしながら、エッジ量の大小に基づいて駐車と空車とを判定する場合、駐車マスに「バス」、「トラック」などの文字や、車椅子の図形で知られる国際シンボルマークなどの図形等の表示パターンが表示されていると、これら表示パターンのエッジ成分も検出されてしまう。その結果、車両駐車時と空車時のエッジ量の差が小さくなり、誤判定してしまう可能性があるといった問題があった。
また、上記特許文献１のように多数の駐車マスを撮影するためにカメラを比較的高い位置に配置して俯瞰撮影する場合、車両の高さによっては、そのエッジ成分が検出対象駐車マスに隣接する駐車マスで検出されてしまうことがあり、正確な駐車状態を検出することが難しいといった問題があった。
【発明の概要】
【発明が解決しようとする課題】
【０００５】
本発明は、上記の問題を解決せんとするもので、撮影画像における位置および形状の変化が車両と比較して少ない表示パターンに基づいて駐車と空車とを判定することにより、正確に駐車検出することができる駐車検出装置、駐車検出方法および駐車検出プログラムを提供することを目的とする。
【課題を解決するための手段】
【０００６】
本発明は、以下の通りである。
１．表示パターンを有する複数の駐車マスを撮影した画像に基づいて、当該複数の駐車マスのそれぞれについての駐車の有無を検出する駐車検出装置であって、
前記複数の駐車マスを含む駐車検出対象エリアの画像を撮影する撮影手段と、
前記画像に所定の画像処理を施す画像処理手段と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段と、を備え、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定手段は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出装置。
２．上記１．において、前記判定基準データを更新する更新手段を更に備えることを特徴とする。
３．表示パターンを有する複数の駐車マスを撮影した画像に基づいて、当該複数の駐車マスのそれぞれについての駐車の有無を検出する駐車検出方法であって、
前記複数の駐車マスを含む駐車検出対象エリアの画像を撮影する撮影手段を用いる撮影工程と、
前記画像に所定の画像処理を施す画像処理手段を用いる画像処理工程と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段を用いる判定工程と、を備え、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定工程は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出方法。
４．上記３．において、前記判定基準データを更新する更新工程を更に備えることを特徴とする。
５．表示パターンを有する複数の駐車マスを撮影した画像に基づいて、当該複数の駐車マスのそれぞれについての駐車の有無を検出する駐車検出プログラムであって、
前記複数の駐車マスを含む駐車検出対象エリアの画像を撮影する撮影手段を用いる撮影機能と、
前記画像に所定の画像処理を施す画像処理手段を用いる画像処理機能と、
前記駐車検出対象エリアの画像に前記所定の画像処理を施した判定対象データと、予め前記複数の駐車マス毎に設定された車両の有無の判定の基準となる判定基準データと、を比較して前記複数の駐車マス毎の車両の有無を判定する判定手段を用いる判定機能と、をコンピュータに実現させ、
前記判定基準データは、前記複数の駐車マスにそれぞれ対応する前記表示パターンが撮影された前記駐車検出対象エリアの画像から取得した前記表示パターンを含む画像領域に前記所定の画像処理を施したデータであり、
前記所定の画像処理は、前記画像からエッジ情報を取得する画像処理であり、
前記判定機能は、前記判定基準データと、前記判定対象データの前記判定基準データに対応する領域のデータと、の前記エッジ情報の相関率を算出し、当該相関率に基づいて前記駐車マスの車両の有無を判定することを特徴とする駐車検出プログラム。
６．上記５．において、前記判定基準データを更新する更新機能を更に実現させることを特徴とする。
【発明の効果】
【０００７】
本発明の駐車検出装置によると、「バス」、「トラック」などの表示パターンを有する複数の駐車マスを撮影した画像に基づいて当該複数の駐車マスのそれぞれについての駐車の有無を検出するに際し、複数の駐車マスを含む駐車検出対象エリアの画像を撮影し、この画像に対して、所定の画像処理を施した判定対象データを作成する。そして、この判定対象データと、予め複数の駐車マス毎に設定された車両の有無の判定の基準となるデータであり、表示パターンが撮影された駐車検出対象エリアの画像から取得したデータであって、表示パターンを含む画像領域に所定の画像処理を施したデータである判定基準データと、を比較することにより駐車マス毎の車両の有無を判定するようにしている。このように、撮影画像における位置および形状の変化が比較的少ない表示パターンに基づいて駐車と空車とを判定することにより、従来のように車両に基づいて駐車検出する場合と比較して、正確に駐車検出することができる。
【０００８】
また、前記判定基準データを更新する更新手段を更に備える場合は、表示パターンの劣化等による形状の変化の状態に応じた判定基準データが新たに作成されるので、所望の判定精度を維持することができ、正確に駐車検出することができる。表示パターンは、通常、路面に描かれているものであり、車両の通行により摩耗するなど、次第に劣化してその形状が変化する。このため、表示パターンの形状が変化する前に作成した判定基準データと、形状が変化した後の表示パターンを撮影した画像から作成した判定対象データと、を比較した場合、変化の度合によっては、空車と判定される相関率の数値が算出されなくなる可能性がある。したがって、更新手段により表示パターン判定基準データを更新することにより、判定精度を維持することができる。
【０００９】
さらに、前記所定の画像処理が前記画像からエッジ情報を取得する画像処理であり、前記判定手段は、前記判定基準データと、前記判定対象データの前記判定基準データに対応する領域のデータと、の前記エッジ情報の相関率を算出し、当該相関率に基づいて前記駐車マスの車両の有無を判定するため、抽出されるエッジ情報の変動が比較的少ない表示パターンに基づいて駐車と空車とを判定することにより、正確に駐車検出することができる。
【００１０】
以上は、本発明が装置として実現される場合について説明したが、かかる装置を実現する方法やプログラム、当該プログラムを記録した媒体としても発明は実現可能である。また、以上のような駐車検出装置は単独で実現される場合もあるし、ある方法に適用され、あるいは同方法が他の機器に組み込まれた状態で利用されることもあるなど、上記に示す駐車検出装置に限らず、各種の態様を含むものである。したがって、本発明思想は、プログラム、ソフトウェアであったり、ハードウェアであったりするなど、適宜、変更可能である。
発明の思想の具現化例として上記装置を制御するためのソフトウェアとなる場合には、かかるプログラム、ソフトウェア、あるいはソフトウェアを記録した記録媒体上においても存在し、利用される。
【００１１】
また、プログラム、ソフトウェアの記録媒体は、磁気記録媒体であってもよいし光磁気記録媒体であってもよいし、今後開発されるいかなる記録媒体においても全く同様に考えることができる。一次複製品、二次複製品などの複製段階についても同等である。その他、供給装置として通信回線を利用して行う場合でも本発明が利用されていることにはかわりない。さらに、一部がソフトウェアであって、一部がハードウェアで実現されている場合においても発明の思想において全く異なるものではなく、一部を記録媒体上に記憶しておいて必要に応じて適宜読み込まれるような形態であってもよい。
【図面の簡単な説明】
【００１２】
【図１】本実施形態にかかる駐車検出装置を示す概略ブロック図である。
【図２】本実施形態にかかる駐車検出処理のフローチャートを示す図である。
【図３】駐車検出対象エリアとカメラの配置を模式的に示す平面図である。
【図４】駐車検出対象エリアの画像の例を模式的に示す図である。
【図５】駐車検出対象エリアのエッジ抽出処理画像の例を模式的に示す図である。
【図６】判定基準データを説明するための説明図である。
【図７】相関率の算出を説明するための説明図である。
【発明を実施するための形態】
【００１３】
ここでは、下記の順序に従って本発明の実施の形態について説明する。
（１）駐車検出装置の構成：
（２）駐車検出処理：
【００１４】
（１）駐車検出装置の構成：
図１は、本実施形態にかかる駐車検出装置の概略構成を示している。同図において、駐車検出装置１は、カメラ１０と制御部２０とから構成されている。カメラ１０は、所定の表示パターンを有する複数の駐車マスを含む駐車検出対象エリアを撮影した画像を制御部２０に出力する。制御部２０は画像を入力し、同画像に基づいて画像内の各駐車マスの駐車の有無を検出する。
【００１５】
制御部２０は、主要な構成として、インターフェース（Ｉ／Ｆ）２１と、ＣＰＵ２２と、記憶部２３と、エッジ抽出処理部２４と、相関率算出部２５と、相関率判定処理部２６と、出力部２７と、を備えている。
Ｉ／Ｆ２１には、カメラ１０が接続されており、カメラ１０で撮影された駐車検出対象エリアの画像信号を制御部２０に取り込む。
ＣＰＵ２２は、記憶部２３に記憶された駐車検出プログラム２３ａを実行し、各部を制御するとともに所定の演算処理を実行する。
【００１６】
記憶部２３は、データを蓄積可能な記憶媒体であり、駐車検出処理を実行するための駐車検出プログラム２３ａと、駐車マス毎に設定された車両の有無の判定の基準となる判定基準データ２３ｄと、判定の対象となるエッジ成分が抽出された画像データと判定基準データ２３ｄとの相関率と比較される基準相関率データ２３ｅとが予め記憶されている。判定基準データ２３ｄは、各駐車マスにそれぞれ対応する表示パターンが撮影された駐車検出対象エリアの画像から取得した表示パターンを含む画像領域に、後述するエッジ抽出処理を施した複数のデータであり、各表示パターンのエッジ抽出処理画像データである。基準相関率データ２３ｅは、後述する相関率算出部により算出される相関率と比較されるデータであって、駐車と空車との判定の基準となるデータである。
【００１７】
また、記憶部２３は、駐車検出処理の過程で生成される各種データを記憶可能で、撮影画像データ２３ｂとエッジ抽出処理画像データ２３ｃとが記憶される。なお、記憶部２３は、データを蓄積可能であればよく、ＲＡＭ、ＨＤＤ等の種々の記憶媒体を採用可能であるとともに、これら種々の記憶媒体を組み合わせた記憶部とすることも可能である。
【００１８】
エッジ抽出処理部２４は、記憶部２３に記憶された撮影画像データ２３ｂに対してエッジ抽出処理を実施し、画像中のエッジ成分を抽出する。すなわち、本実施形態では、本発明にかかる所定の画像処理として、エッジ抽出処理を実行する。そして、このエッジ成分が抽出された画像が判定対象データであり、エッジ抽出処理画像データ２３ｃとして記憶部２３に記憶される。なお、このエッジ抽出については、公知の手法、例えば、ハイパスフィルタ、ソーベルフィルタ、ラプラシアンフィルタ、キャニーフィルタなどの種々のフィルタを用いた手法を採用可能である。また、所定の画像処理としては、上記エッジ抽出処理のように、エッジに着目した画像処理に限られず、例えば、表示パターンの輝度分布や、表示パターンが文字である場合にはその書体的特徴等、表示パターンの特徴を示す特徴量を抽出することができる画像処理であればよい。
【００１９】
相関率算出部２５は、エッジ抽出処理画像データ２３ｃと判定基準データ２３ｄとの相関率を算出する。上述のように、判定基準データ２３ｄは、各表示パターンのエッジ抽出処理画像データである。そして、相関率は、エッジ抽出処理画像データ２３ｃに対する各判定基準データ２３ｄの２次元相互相関を実行することにより算出される。本実施形態において、２次元相互相関は、各判定基準データ２３ｄを取得した位置の近傍の画像領域に対してのみ実施するようにしているが、エッジ抽出処理画像データ２３ｃの全体の画像領域に対して実施するようにしてもよい。
【００２０】
相関率判定処理部２６は、相関率算出部２５にて算出された相関率と記憶部２３に記憶されている基準相関率データ２３ｅとを比較することにより、各駐車マスに車両が駐車されているか否かを判定する。なお、相関率判定処理部２６による判定結果を判定結果データとして記憶部２３に記憶させるようにしてもよい。
なお、本発明にかかる判定手段は、本実施形態においては、相関率算出部２５および相関率判定処理部２６により構成されているといえる。
【００２１】
出力部２７は、相関率判定処理部２６による判定結果等を出力する。出力された判定結果データは、駐車場管理システム等に送られて管理されたり、駐車場の駐車状況を示す表示板等に反映されたりする。
【００２２】
（２）駐車検出処理：
本実施形態においては、上述の構成において図２に示すフローチャートに従って駐車検出処理を実行する。同図において、最初に、カメラ１０によって駐車検出対象エリアとなる駐車場を所定の高さの位置から俯瞰撮影する（ステップＳ１００）。この撮影画像は、Ｉ／Ｆ２１を介して制御部２０に取り込まれ、撮影画像データ２３ｂとして記憶部２３に記憶される。図３は、このようにして撮影される駐車検出対象エリアの例を模式的に示す図であり、図４は、撮影した画像の例を模式的に示す図である。本実施形態においては、図３および４に示すように、駐車検出対象エリアとして複数（図３中５つ）の駐車マスＰＳ１〜ＰＳ５が含まれており、各駐車マスＰＳ１〜ＰＳ５には、表示パターンとして、「バス」という文字がそれぞれ表示されている場合を例示する。
【００２３】
次に、ステップＳ１１０において、変数ｎを"１"に初期化する。この変数ｎは、最大値をＮとする整数であり、Ｎは駐車検出処理にて駐車と空車とが判定される駐車マスの数である。また、本実施形態においては、変数ｎの値は各駐車マスにそれぞれ対応しており、変数ｎの値に応じて、これに対応する駐車マス毎に後述の各処理が実施される。
ステップＳ１２０では、エッジ抽出処理部２４により撮影画像データ２３ｂに対してエッジ抽出処理が実行される。このエッジ抽出処理が施されたデータが判定対象データであり、エッジ抽出処理画像データ２３ｃとして記憶部２３に記憶される。図５は、このようにして作成されるエッジ抽出処理画像の例を模式的に示す図である。同図において、駐車マスＰＳ４には車両Ｖが駐車されており、「バス」の文字は画像上には現れていない。なお、このエッジ抽出処理は、上述のように公知の方法を利用することができる。
【００２４】
ステップＳ１３０にて、相関率算出部２５により、ステップＳ１２０において作成したエッジ抽出処理画像データ２３ｃと判定基準データ２３ｄとの相関率が算出される。すなわち、相関率算出部２５は、エッジ抽出処理画像データ２３ｃに対して、駐車検出対象の駐車マスの１つに対応する判定基準データ２３ｄの２次元相互相関を実行して相関率を算出する。本実施形態において、判定基準データ２３ｄは、図６に示すように、予め各駐車マスＰＳ１〜ＰＳ５が空車の状態で撮影された画像から作成されたデータであり、各駐車マスＰＳ１〜ＰＳ５の表示パターンである「バス」という文字が含まれる画像領域にエッジ抽出処理を施した画像データである。
【００２５】
図７に示すようなエッジ抽出処理画像データ２３ｃにおいて、駐車マスＰＳ１のように、検出対象の駐車マスが空車状態である場合、この駐車マスＰＳ１に対応する判定基準データ２３ｄとの２次元相互相関を実施すると比較的大きな値の相関率が算出される。一方、駐車マスＰＳ４のように、検出対象の駐車マスに車両Ｖが駐車している場合は、車両Ｖにより表示パターンが隠されているので、当該駐車マスに対応する判定基準データ２３ｄとの相関率は小さな値が算出される。このように、車両が駐車している場合と空車の場合とでは算出される相関率の値の大きさに明確な差が表れる。
【００２６】
なお、本実施形態において、２次元相互相関は、判定基準データ２３ｄと、エッジ抽出処理画像データ２３ｃ上の各判定基準データ２３ｄを取得した位置座標と同じ位置座標の画像領域の近傍と、により実施するようにしている。すなわち、判定基準データ２３ｄを、エッジ抽出処理画像データ２３ｃ上の判定基準データ２３ｄの位置座標と同じ位置座標の近傍に対して走査させて実施するようにしている。これにより、俯瞰撮影するために比較的高所に設置されたカメラ２０が風の影響等により揺れた際に撮影された画像に基づいて作成されたエッジ抽出処理画像データ２３ｃに対して２次元相互相関を実施する場合であっても、正確な相関率を算出することができる。
【００２７】
ステップＳ１４０では、相関率判定処理部２６により、ステップＳ１３０において算出された相関率と、記憶部２３に予め記憶されている基準相関率データ２３ｅと、を比較して、検出対象駐車マスの駐車の有無を判定する。すなわち、この基準相関率データ２３ｅに基づいて、相関率が所定の値よりも高い場合は空車であると判定し、そうでない場合は当該駐車マスに車両が駐車されていると判定する。この判定結果は、ステップＳ１５０にて記憶部２３に記憶される。また、上述のように、この判定結果データを出力部２７を介して外部に出力し、駐車場の駐車状況を表示する表示板等の表示に反映するようにしたり、駐車場管理システム等に送って管理するようにしたりしてもよい。
【００２８】
なお、本発明にかかる判定工程は、本実施形態においては、ステップＳ１３０の相関率算出処理およびステップＳ１４０の相関率判定処理からなるといえる。
【００２９】
ステップＳ１６０においては、変数ｎが最大値Ｎに達しているか否か、すなわち、すべての駐車マスについての駐車の有無を判別したか否かを判別する。変数ｎが最大値Ｎに達していると判別されなければ、ステップＳ１７０において変数ｎをインクリメントし、ステップＳ１２０以降の処理を繰り返して他の駐車マスについての駐車の有無を判別する。変数ｎが最大値Ｎに達していると判別されれば、駐車判別処理を終了する。なお、通常、駐車場の駐車状況は常時監視されていることが好ましく、したがって、この駐車判別処理を繰り返し実行することが好ましい。
【００３０】
このように、本実施形態においては、撮影画像における位置および形状の変化や抽出されるエッジ情報の変動が比較的少ない表示パターンから、駐車と空車との判定の基準となる判定基準データ２３ｄを作成し、これに基づいて駐車と空車とを判定するようにしている。これにより、従来のように車両から抽出されるエッジ情報に基づいて駐車検出する場合と比較して、正確に駐車検出することができる。
【００３１】
なお、上述のステップＳ１３０における２次元相互相関による相関率の算出は、各判定基準データ２３ｄを取得した位置の近傍の画像領域に対してのみ実施するようにしたが、エッジ抽出処理画像データ２３ｃの全体の画像領域に対して実施してもよい。エッジ抽出処理画像データ２３ｃの全体の画像領域に対して実施する場合には、ステップＳ１４０の相関率判定処理における相関率の比較と併せて、画像上の検出対象駐車マスに対応する表示パターンの位置と相関率算出位置の座標とを比較し、これらに基づいて駐車と空車とを判定するようにすればよい。
【００３２】
また、上記構成に加えて、判定基準データを更新する更新手段を備えるようにしてもよい。これにより、表示パターンの劣化等による形状の変化の状態に応じた判定基準データが新たに作成されるので、所望の判定精度を維持することができ、より正確に駐車検出することができる。この更新手段により判定基準データを更新する形態としては、例えば、目視により劣化状態を確認して必要に応じて更新する形態や、定期的に更新する形態、相関率の数値が所定値に満たなくなった際に更新するなど、駐車検出処理時に算出される相関率の数値に基づいて更新する形態等とすることができる。
【００３３】
さらに、上述の実施形態においては、駐車検出対象エリアに含まれる駐車マスが５つである例を示したが、これに限定されず、６以上の駐車マスを含むようにしてもよいし、４以下の駐車マスが含まれるようにしてもよい。この場合、駐車検出対象エリアに含まれる駐車マスの数と処理速度を勘案して、複数の制御部を用いて並列処理を実行するようにしてもよい。また、より広大な駐車場の駐車検出をする際には、複数のカメラにより複数の駐車検出対象エリアを撮影した画像について、順次駐車検出処理を実施するようにしたり、複数の駐車検出装置により複数の駐車検出対象エリアの駐車検出をするようにしたりしてもよい。
【符号の説明】
【００３４】
１；駐車検出装置、１０；カメラ、２０；制御部、２１；インターフェース（Ｉ／Ｆ）、２２；ＣＰＵ、２３；記憶部、２３ａ；駐車検出プログラム、２３ｂ；撮影画像データ、２３ｃ；エッジ抽出処理画像データ、２３ｄ；判定基準データ、２３ｅ；基準相関率データ、２４；エッジ抽出処理部、２５；相関率算出部、２６；相関率判定処理部、２７；出力部、ＰＳ１〜ＰＳ５；駐車マス、Ｖ；車両。
【図１】
0005501793.tif 000002
【図２】
0005501793.tif 000003
【図３】
0005501793.tif 000004
【図４】
0005501793.tif 000005
【図５】
0005501793.tif 000006
【図６】
0005501793.tif 000007
【図７】
0005501793.tif 000008